(57)【特許請求の範囲】
【請求項１】
部品の実装された基板を内部に収納するための基板収納成形品ケースにおいて、本体部分を形成する基底部とこの基底部周縁から立ち上がる周縁立上部とをそれぞれ有し、一方側が開口部となって開口する第１の成形品ケースとこの第１の成形品ケースを裏返した第２の成形品ケースとがあって、この第１の成形品ケースの内面に上記基板を載置するように収容した後で、同第１の成形品ケースの開口に上記第２の成形品ケースの開口を突き合わせるようにして、同第１の成形品ケースと同第２の成形品ケースとを結合することによって上記基板を挟み込むように収納するものであり、
前記第１の成形品ケースおよび上記第２の成形品ケースが結合する際に、相俟って互いに対向する位置で、かつ、上記基板を挟むように固定する第１の押さえ部とこの第１の押さえ部と高さが異なる第２の押さえ部とをそれぞれ上記周縁立上部の内面に設けたことを特徴とする基板収納成形品ケース。
【請求項２】
上記基板が、上記第１の成形品ケースおよび上記第２の成形品ケースにそれぞれ形成された第２の押さえ部が嵌まる逃がし部を設けて、この逃がし部に上記第２の押さえ部を嵌めて、同基板を同第１の成形品ケースの基底部と同第２の成形品ケースの基底部との間の中央位置に対してどちらかの基底部側に偏った位置に同基板を固定するようにしたことを特徴とする請求項１記載の基板収納成形品ケース。
【請求項３】
上記第１の成形品ケースおよび上記第２の成形品ケースのそれぞれ上記基底部の内面に上記基板を挟むように固定する押さえ片を設けたことを特徴とする請求項１又は請求項２記載の基板収納成形品ケース。
【請求項４】
上記第１の成形品ケースおよび上記第２の成形品ケースが、上記周縁立上部の方向に立設形成する係止部と被係止部とをそれぞれ具備して、この係止部と被係止部とは、上記第１の成形品ケースを裏返したものである第２の成形品ケースの開口を上記第１の成形品ケースの開口に突き合せたとき、上記第２の成形品ケースの係止部は上記第１の成形品ケースの被係止部に係止し、上記第２の成形品ケースの被係止部は上記第１の成形品ケースの係止部に係止するようにしたことを特徴とする請求項１ないし請求項３いずれか記載の基板収納成形品ケース。
【請求項５】
上記第１の成形品ケースおよび上記第２の成形品ケースが結合する際に、互いに対向する位置に立設形成する第１のダボと第２のダボとをそれぞれ同第１の成形品ケースと同第２の成形品ケースとに設けており、上記第１のダボが、中央をねじ止め貫通孔となす第１の当接面を有しているとともに、上記第２のダボが、上記第１のダボにある第１の当接面に直に当接する第２の当接面を有し、上記第１の成形品ケースを裏返し第２の成形品ケースとして開口を上記第１の成形品ケースの開口に突き合せたときに、上記第１の当接面と上記第２の当接面とが当接しながら、上記ねじ止め貫通孔と同ねじ止め貫通孔と対向する位置に形成されるねじ止め孔とにより、上記第１の成形品ケースと上記第２の成形品ケースとをねじにて結合するようになしたことを特徴とする請求項１ないし請求項４いずれか記載の基板収納成形品ケース。
【請求項６】
上記第１のダボおよび上記第２のダボの少なくとも一方の近傍に、上記押さえ片を設けたことを特徴とする請求項５記載の基板収納成形品ケース。
【請求項７】
上記第１の成形品ケースおよび上記第２の成形品ケースとに上記部品を突出させた状態で実装させることができる窓部を備えたことを特徴とする請求項１ないし請求項６いずれか記載の基板収納成形品ケース。
【発明の詳細な説明】
【０００１】
【発明が属する技術分野】
本発明は、基板収納成形品ケースに関し、具体的には、部品の実装された基板を内部に収納するための基板収納成形品ケースに関するものである。
【０００２】
【従来の技術】
従来から、例えば、図３および図４に示すごとく、電気部品や電子部品などの部品（２０）の実装された基板（３）を合成樹脂などで成形された成形品ケース（１００）に収納するような基板収納成形品ケースが考えられていたものであった。
【０００３】
具体的には、この種の基板収納成形品ケースにあっては、上記図３および図４に示すごとく、一方側が開口部となって開口する第１の成形品ケース（１００ａ）と他方側が開口部となって開口する第２の成形品ケース（１００ｂ）とで、部品（２０）の実装された基板（３）を両面から覆うようにして、第１の成形品ケース（１００ａ）の開口と第２の成形品ケース（１００ｂ）の開口とを突き合せて、固定ネジ（２２）をそれぞれの取付部（８０）に嵌め付けるとともに、第２の成形品ケース（１００ｂ）の被係止体（７０）に第１の成形品ケース（１００ａ）の係止体（６０）を係止させることにより、第１の成形品ケース（１００ａ）と第２の成形品ケース（１００ｂ）とを結合させて形成されているものであった。
【０００４】
【発明が解決しようとする課題】
しかしながら、このような従来の基板収納成形品ケースにあっては、第１の成形品ケース（１００ａ）と第２の成形品ケース（１００ｂ）とが同一のものではないために、第１の成形品ケース（１００ａ）用の金型と第２の成形品ケース（１００ｂ）用の金型とが別々に必要となり、金型金額が嵩むとともに、基板収納成形品ケースのための部品点数が多くなり、その結果、管理費としても嵩むという問題点があった。
【０００５】
そこで、特開平５−２２３６３５号公報に開示されているごとく、上記問題点を解決するために、センサーモジュールに関して、同一の型部材から成型された収納ケース分割体から形成される回路基板収納ケースが考えられたものであった。
【０００６】
しかしながら、このような回路基板収納ケースにあっても、図５および図６に示すごとく、収納ケース（１２０）の両側内面に、基板（３）を挿入するための凹溝（１１０）が収納ケース（１２０）の分割方向に形成されているものであるために、基板（３）面に対して立設するように実装された、例えば、ＬＥＤなどの部品（２０）を収納ケース（１２０）の側面から突出させるような場合、その部品（２０）の突出される位置が収納ケース（１２０）の分割位置から離れていると、その部品（２０）幅で収納ケース（１２０）の分割面から帯状の切欠部（９０）が必要となり、この帯状の切欠部（９０）により、上記収納ケース（１２０）の強度低下を招き、その結果、同図５の矢印（Ｆ）に示すような外力が加わると、ひび割れ（Ａ）が生じやすくなるとともに、同帯状の切欠部（９０）どうしが連結して長孔状の隙間となり、この隙間が見苦しく、外観上での見栄えも悪くなるという問題点があった。
【０００７】
本発明は、上述の事実に鑑みてなされたものであって、その目的とするところは、たとえ成形品ケースから突出させたい部品の位置が成形品ケース面の端に位置したとしても、成形品ケースの強度低下が少なく、かつ、見栄えを維持しながら、第１の成形品ケースと第２の成形品ケースとを同一のものとすることができ、第１の成形品ケースを成形する金型のみがあれば、基板収納成形品ケースを完成させることができて、金型の合理化が図れるとともに、基板収納成形品ケースを組み立てるための部品点数としても少なくなり、在庫管理や工程管理などの各種管理が容易になって、管理費を低減することができる基板収納成形品ケースを提供することにある。
【０００８】
【課題を解決するための手段】
本発明の請求項１に係る基板収納成形品ケースは、部品（２０）の実装された基板（３）を内部に収納するための基板収納成形品ケースにおいて、本体部分を形成する基底部（１０）とこの基底部（１０）周縁から立ち上がる周縁立上部（５）とをそれぞれ有し、一方側が開口部となって開口する第１の成形品ケース（１）とこの第１の成形品ケース（１）を裏返した第２の成形品ケース（２）とがあって、この第１の成形品ケース（１）の内面に上記基板（３）を載置するように収容した後で、同第１の成形品ケース（１）の開口に上記第２の成形品ケース（２）の開口を突き合わせるようにして、同第１の成形品ケース（１）と同第２の成形品ケース（２）とを結合することによって上記基板（３）を挟み込むように収納するものであり、第１の成形品ケース（１）および上記第２の成形品ケース（２）が結合する際に、相俟って互いに対向する位置で、かつ、上記基板（３）を挟むように固定する第１の押さえ部（１１）とこの第１の押さえ部（１１）と高さが異なる第２の押さえ部（１２）とをそれぞれ上記周縁立上部（５）の内面に設けたことを特徴とする。
【０００９】
本発明の請求項２に係る基板収納成形品ケースは、上記基板（３）が、上記第１の成形品ケース（１）および上記第２の成形品ケース（２）にそれぞれ形成された第２の押さえ部（１２）が嵌まる逃がし部（２１）を設けて、この逃がし部（２１）に上記第２の押さえ部（１２）を嵌めて、同基板（３）を同第１の成形品ケース（１）の基底部（１０）と同第２の成形品ケース（２）の基底部（１０）との間の中央位置に対してどちらかの基底部（１０）側に偏った位置に同基板（３）を固定するようにしたことを特徴とする。
【００１０】
本発明の請求項３に係る基板収納成形品ケースは、上記第１の成形品ケース（１）および上記第２の成形品ケース（２）のそれぞれ上記基底部（１０）の内面に上記基板（３）を挟むように固定する押さえ片（１４）を設けたことを特徴とする。
【００１１】
本発明の請求項４に係る基板収納成形品ケースは、上記第１の成形品ケース（１）および上記第２の成形品ケース（２）が、上記周縁立上部（５）の方向に立設形成する係止部（６）と被係止部（７）とをそれぞれ具備して、この係止部（６）と被係止部（７）とは、上記第１の成形品ケース（１）を裏返したものである第２の成形品ケース（２）の開口を上記第１の成形品ケース（１）の開口に突き合せたとき、上記第２の成形品ケース（２）の係止部（６）は上記第１の成形品ケース（１）の被係止部（７）に係止し、上記第２の成形品ケース（２）の被係止部（７）は上記第１の成形品ケース（１）の係止部（６）に係止するようにしたことを特徴とする。
【００１２】
本発明の請求項５に係る基板収納成形品ケースは、上記第１の成形品ケース（１）および上記第２の成形品ケース（２）が結合する際に、互いに対向する位置に立設形成する第１のダボ（１３）と第２のダボ（１７）とをそれぞれ同第１の成形品ケース（１）と同第２の成形品ケース（２）とに設けており、上記第１のダボ（１３）が、中央をねじ止め貫通孔（１６）となす第１の当接面（１５）を有しているとともに、上記第２のダボ（１７）が、上記第１のダボ（１３）にある第１の当接面（１５）に直に当接する第２の当接面（２４）を有し、上記第１の成形品ケース（１）を裏返し第２の成形品ケース（２）として開口を上記第１の成形品ケース（１）の開口に突き合せたときに、上記第１の当接面（１５）と上記第２の当接面（２４）とが当接しながら、上記ねじ止め貫通孔（１６）と同ねじ止め貫通孔（１６と対向する位置に形成されるねじ止め孔（１８）とにより、上記第１の成形品ケース（１）と上記第２の成形品ケース（２）とをねじ（２２）にて結合するようになしたことを特徴とする。
【００１３】
本発明の請求項６に係る基板収納成形品ケースは、上記第１のダボ（１３）および上記第２のダボ（１７）の少なくとも一方の近傍に、上記押さえ片（１４）を設けたことを特徴とする。
【００１４】
本発明の請求項７に係る基板収納成形品ケースは、上記第１の成形品ケース（１）および上記第２の成形品ケース（２）とに上記部品（２０）を突出させた状態で実装させることができる窓部（４）を備えたことを特徴とする。
【００１６】
【発明の実施の形態】
以下、本発明を実施形態に係る図面に基づいて詳しく説明する。
【００１７】
図１は、本発明の一実施形態に係る基板収納成形品ケースを示した分解斜視図である。図２は、本発明の一実施形態に係る基板収納成形品ケースを示した斜視図である。
【００１８】
本発明の基板収納成形品ケースは、図１および図２に示すごとく、部品（２０）の実装された基板（３）を内部に収納するための基板収納成形品ケースにおいて、本体部分を形成する基底部（１０）とこの基底部（１０）周縁から立ち上がる周縁立上部（５）とをそれぞれ有し、一方側が開口部となって開口する第１の成形品ケース（１）とこの第１の成形品ケース（１）を裏返した第２の成形品ケース（２）とがあって、この第１の成形品ケース（１）の内面に上記基板（３）を載置するように収容した後で、同第１の成形品ケース（１）の開口に上記第２の成形品ケース（２）の開口を突き合わせるようにして、同第１の成形品ケース（１）と同第２の成形品ケース（２）とを結合することによって上記基板（３）を挟み込むように収納しているものである。
【００１９】
本発明の基板収納成形品ケースは、基板（３）を内部に収納するためのものであり、この基板（３）としては、プリント配線板などのものであり、図１および図２に示すごとく、電気部品や電子部品などの部品（２０）が実装されているものである。
【００２０】
上記基底部（１０）は、図１に示すごとく、基板収納成形品ケースにおいて、本体部分を形成しているものである。そして、上記周縁立上部（５）は、この基底部（１０）周縁から立ち上がっているものである。この基底部（１０）と周縁立上部（５）とは、合成樹脂などで成形されているものである。
【００２１】
上記第１の成形品ケース（１）と上記第２の成形品ケース（２）とは、同一のものであって、この第２の成形品ケース（２）は、第１の成形品ケース（１）を裏返しているものである。そして、図１および図２に示すごとく、この第１の成形品ケース（１）の内面に上記基板（３）を載置するように収容した後で、第１の成形品ケース（１）の開口に第２の成形品ケース（２）の開口を突き合わせるようにして、同第１の成形品ケース（１）と同第２の成形品ケース（２）とを結合しているものである。
【００２２】
上記第１の成形品ケース（１）と上記第２の成形品ケース（２）とを結合している際には、図１および図２に示すごとく、上記基板（３）としては挟み込むように収納されているものである。
【００２３】
なお、上記周縁立上部（５）の下端部両側には、図１および図２に示すごとく、取付耳部（８）を設けており、この取付耳部（８）には、必要に応じて、制御盤内などの取付パネル、取付基板などにネジ止めすることができるように取付孔（９）が設けられているものである。
【００２４】
本発明は、このような構成をとることによって、第１の成形品ケース（１）と第２の成形品ケース（２）とを同一のものとするので、第１の成形品ケース（１）を成形する金型のみがあれば、この第１の成形品ケース（１）のみで基板収納成形品ケースを組み立てるための部材として揃えることができて、その結果、金型の合理化が図れるとともに、基板収納成形品ケースを組み立てるための部品点数は確実に少なくなり、在庫管理や工程管理などの各種管理が非常に容易になって、管理費を低減することができるものとなる。また、収納される基板（３）が踊るようなことがなく、しかも、がたつくことがなく、その結果、確実に基板（３）を固定することができるものである。さらに、基板（３）を、第１の成形品ケース（１）と第２の成形品ケース（２）とで基板（３）面に対して直交する方向で挟み込むように収納固定することができるので、基板（３）に実装された部品（２０）を成形品ケース内から外に突出させるような場合、従来のように成形品ケース分割面から部品幅の帯状切欠を設ける必要はなく、略平面透視図大の部品孔を設ければ良いので、たとえ成形品ケースから突出させたい部品（２０）の位置が成形品ケース面の端に位置したとしても成形品ケースの強度低下が確実に少なくなるものである。
【００２５】
すなわち、本発明は、たとえ成形品ケースから突出させたい部品（２０）の位置が成形品ケース面の端に位置したとしても、成形品ケースの強度低下が少なく、かつ、見栄えを維持しながら、第１の成形品ケース（１）と第２の成形品ケース（２）とを同一のものとすることができ、第１の成形品ケース（１）を成形する金型のみがあれば、基板収納成形品ケースを完成させることができて、金型の合理化が図れるとともに、基板収納成形品ケースを組み立てるための部品点数としても少なくなり、在庫管理や工程管理などの各種管理が容易になって、管理費を低減することができるものである。
【００２６】
また、図１に示すごとく、上記第１の成形品ケース（１）および上記第２の成形品ケース（２）が結合する際に、相俟って互いに対向する位置で、かつ、上記基板（３）を挟むように固定する第１の押さえ部（１１）とこの第１の押さえ部（１１）と高さが異なる第２の押さえ部（１２）とをそれぞれ上記周縁立上部（５）の内面に設けているものであると、第２の押さえ部（１２）により、第１の成形品ケース（１）および第２の成形品ケース（２）が結合する際に、基板（３）が動き難いように規制されるとともに、第１の押さえ部（１１）により、第１の成形品ケース（１）および第２の成形品ケース（２）が結合する際に、同基板（３）を挟むように固定されるものであり、収納される基板（３）がより一層確実に踊ることなく、かつ、より一層確実にがたつくことがなくて、結果として、より一層確実に基板（３）を固定することができるものである。
【００２７】
さらに、図１に示すごとく、上記基板（３）が、上記第１の成形品ケース（１）および上記第２の成形品ケース（２）にそれぞれ形成された第２の押さえ部（１２）が嵌まる逃がし部（２１）を設けて、この逃がし部（２１）に上記第２の押さえ部（１２）を嵌めて、同基板（３）を同第１の成形品ケース（１）の基底部（１０）と同第２の成形品ケース（２）の基底部（１０）との間の中央位置に対してどちらかの基底部（１０）側に偏った位置に同基板（３）を固定するようにしたものであると、このような逃がし部（２１）により、基板（３）が成形品ケース内ぎりぎりいっぱいのサイズのものであっても、第２の押さえ部（１２）が嵌まることで、同第２の押さえ部（１２）によっても、第１の成形品ケース（１）および第２の成形品ケース（２）が結合する際に、同基板（３）を固定することができるものとなり、そして、基板（３）の一方面にのみ部品（２０）が実装されたり、基板（３）の一方面には大きな部品（２０）が実装され、他方面には小さな部品（２０）が実装されたりして、同基板（３）の一方面と他方面とで実装スペースが偏るような場合であっても、第１の成形品ケース（１）と第２の成形品ケース（２）とによって形成される収納空間を有効に活用できて、空間利用効率に優れる基板収納成形品ケースを提供することができるものとなる。
【００２８】
そして、図１に示すごとく、上記第１の成形品ケース（１）および上記第２の成形品ケース（２）のそれぞれ上記基底部（１０）の内面に上記基板（３）を挟むように固定する押さえ片（１４）を設けているものであると、このような基底部（１０）の内面に設けられた押さえ片（１４）によって、第１の成形品ケース（１）および第２の成形品ケース（２）が結合する際に、基板（３）を挟むように固定されるものであり、収納される基板（３）がより一層確実に踊ることなく、かつ、より一層確実にがたつくことがなくて、結果として、より一層確実に基板（３）を固定することができるものである。
【００２９】
なお、図１および図２に示すごとく、上記第１の成形品ケース（１）および上記第２の成形品ケース（２）が、上記周縁立上部（５）の方向に立設形成する係止部（６）と被係止部（７）とをそれぞれ具備して、この係止部（６）と被係止部（７）とは、上記第１の成形品ケース（１）を裏返したものである第２の成形品ケース（２）の開口を上記第１の成形品ケース（１）の開口に突き合せたとき、上記第２の成形品ケース（２）の係止部（６）は上記第１の成形品ケース（１）の被係止部（７）に係止し、上記第２の成形品ケース（２）の被係止部（７）は上記第１の成形品ケース（１）の係止部（６）に係止するようにしているものであると、周縁立上部（５）の方向に立設形成する係止部（６）と被係止部（７）とにより、第１の成形品ケース（１）の開口に第２の成形品ケース（２）の開口を突き合せるだけで、それぞれの係止部（６）と被係止部（７）とが互いに係止し合うために、結果として、より一層確実にワンタッチで基板収納成形品ケースを組み立てることができるものとなる。
【００３０】
また、図１に示すごとく、上記第１の成形品ケース（１）および上記第２の成形品ケース（２）が結合する際に、互いに対向する位置に立設形成する第１のダボ（１３）と第２のダボ（１７）とをそれぞれ同第１の成形品ケース（１）と同第２の成形品ケース（２）とに設けており、上記第１のダボ（１３）が、中央をねじ止め貫通孔（１６）となす第１の当接面（１５）を有しているとともに、上記第２のダボ（１７）が、上記第１のダボ（１３）にある第１の当接面（１５）に直に当接する第２の当接面（２４）を有し、上記第１の成形品ケース（１）を裏返し第２の成形品ケース（２）として開口を上記第１の成形品ケース（１）の開口に突き合せたときに、上記第１の当接面（１５）と上記第２の当接面（２４）とが当接しながら、上記ねじ止め貫通孔（１６）と同ねじ止め貫通孔（１６）と対向する位置に形成されるねじ止め孔（１８）とにより、上記第１の成形品ケース（１）と上記第２の成形品ケース（２）とをねじ（２２）にて結合するようになしているものであると、第１の成形品ケース（１）と第２の成形品ケース（２）との結合をビスなどのねじ（２２）によっても行えるので、分解し難くて信頼性が確実に向上し、しかも、ねじ（２２）を強く締めても第１の当接面（１５）と第２の当接面（２４）が強く当接するのであって、基板（３）や第１の成形品ケース（１）や第２の成形品ケース（２）には変形を与えるような力の作用が確実になくて、基板収納成形品ケースの外側からビスなどのねじ（２２）を螺着してねじ込むことによって、第１の成形品ケース（１）と第２の成形品ケース（２）との結合を、例えば、前項記載の場合のような係止部（６）と被係止部（７）とによる仮結合とともに、強固なねじ（２２）による本結合も併用できる、優れる基板収納成形品ケースを提供することができるものとなる。
【００３１】
ところで、図１に示すごとく、上記基板（３）には、上記第１の成形品ケース（１）および上記第２の成形品ケース（２）が結合する際に、ねじ止め貫通孔（１６）またはねじ止め孔（１８）のいずれかを挿通させるようにして逃がすことができる挿通孔（１９）を形成しているものである。すなわち、基板収納成形品ケースが組み立てられる際に、この基板（３）の挿通孔（１９）にねじ止め貫通孔（１６）またはねじ止め孔（１８）のいずれかが直に通されるようになっているものである。そして、上記第１の成形品ケース（１）および上記第２の成形品ケース（２）が結合した後は、第１の当接面（１５）と第２の当接面（２４）とが互いに当接しているために、ねじ止め貫通孔（１６）とねじ止め孔（１８）とは互いに対向するようになっており、結果的には１つの貫通孔として繋がるものである。
【００３２】
さらに、図１に示すごとく、上記第１のダボ（１３）および上記第２のダボ（１７）の少なくとも一方の近傍に、上記押さえ片（１４）を設けているものであると、第１の成形品ケース（１）と第２の成形品ケース（２）との結合をビスなどのねじ（２２）によって行う際に、基板（３）を挟むように固定しながら同ねじ（２２）を強く締めても、このような第１のダボ（１３）および第２のダボ（１７）の少なくとも一方の近傍に設けた押さえ片（１４）の存在により、基板（３）や第１の成形品ケース（１）や第２の成形品ケース（２）には変形を与えるような力の作用がより一層確実に分散されるようになって、結果的にはこのような力の作用がなくなるものとなり、そして、第１の当接面（１５）と第２の当接面（２４）がより一層強く当接するのであって、第１の成形品ケース（１）と第２の成形品ケース（２）との結合後も確実に分解し難くなり、基板収納成形品ケースとしての信頼性もより一層確実に向上するものとなる。
【００３３】
しかも、図１および図２に示すごとく、上記第１の成形品ケース（１）および上記第２の成形品ケース（２）とに上記部品（２０）を突出させた状態で実装させることができる窓部（４）を備えているものであると、このような窓部（４）により、基板（３）の一方面側に窓部（４）から外方へ突出させたい部品（２０）が実装されることがあっても、同部品（２０）を突出させた状態で確実に実装させることができるものとなり、結果として、非常に好ましい基板収納成形品ケースを提供することができるものとなる。
【００３４】
本発明に係る基板収納成形品ケースによると、図１および図２に示すごとく、部品（２０）の実装された基板（３）を内部に収納するための基板収納成形品ケースにおいて、本体部分を形成する基底部（１０）とこの基底部（１０）周縁から立ち上がる周縁立上部（５）とをそれぞれ有し、一方側が開口部となって開口する第１の成形品ケース（１）とこの第１の成形品ケース（１）を裏返した第２の成形品ケース（２）とがあって、この第１の成形品ケース（１）の内面に上記基板（３）を載置するように収容した後で、同第１の成形品ケース（１）の開口に上記第２の成形品ケース（２）の開口を突き合わせるようにして、同第１の成形品ケース（１）と同第２の成形品ケース（２）とを結合することによって上記基板（３）を挟み込むように収納するので、第１の成形品ケース（１）と第２の成形品ケース（２）とを同一のものとするので、第１の成形品ケース（１）を成形する金型のみがあれば、この第１の成形品ケース（１）のみで基板収納成形品ケースを組み立てるための部材として揃えることができて、その結果、金型の合理化が図れるとともに、基板収納成形品ケースを組み立てるための部品点数は確実に少なくなり、在庫管理や工程管理などの各種管理が非常に容易になって、管理費を低減することができるものとなる。また、収納される基板（３）が踊るようなことがなく、しかも、がたつくことがなく、その結果、確実に基板（３）を固定することができるものである。さらに、基板（３）を、第１の成形品ケース（１）と第２の成形品ケース（２）とで基板（３）面に対して直交する方向で挟み込むように収納固定することができるので、基板（３）に実装された部品（２０）を成形品ケース内から外に突出させるような場合、従来のように成形品ケース分割面から部品幅の帯状切欠を設ける必要はなく、略平面透視図大の部品孔を設ければ良いので、たとえ成形品ケースから突出させたい部品（２０）の位置が成形品ケース面の端に位置したとしても成形品ケースの強度低下が確実に少なくなるものである。
【００３５】
すなわち、本発明は、たとえ成形品ケースから突出させたい部品（２０）の位置が成形品ケース面の端に位置したとしても、成形品ケースの強度低下が少なく、かつ、見栄えを維持しながら、第１の成形品ケース（１）と第２の成形品ケース（２）とを同一のものとすることができ、第１の成形品ケース（１）を成形する金型のみがあれば、基板収納成形品ケースを完成させることができて、金型の合理化が図れるとともに、基板収納成形品ケースを組み立てるための部品点数としても少なくなり、在庫管理や工程管理などの各種管理が容易になって、管理費を低減することができるものである。
【００３６】
【発明の効果】
本発明の請求項１に係る基板収納成形品ケースによると、第１の成形品ケース（１）と第２の成形品ケース（２）とを同一のものとするので、第１の成形品ケース（１）を成形する金型のみがあれば、この第１の成形品ケース（１）のみで基板収納成形品ケースを組み立てるための部材として揃えることができて、その結果、金型の合理化が図れるとともに、基板収納成形品ケースを組み立てるための部品点数は確実に少なくなり、在庫管理や工程管理などの各種管理が非常に容易になって、管理費を低減することができるものとなる。また、収納される基板（３）が踊るようなことがなく、しかも、がたつくことがなく、その結果、確実に基板（３）を固定することができるものである。さらに、基板（３）を、第１の成形品ケース（１）と第２の成形品ケース（２）とで基板（３）面に対して直交する方向で挟み込むように収納固定することができるので、基板（３）に実装された部品（２０）を成形品ケース内から外に突出させるような場合、従来のように成形品ケース分割面から部品幅の帯状切欠を設ける必要はなく、略平面透視図大の部品孔を設ければ良いので、たとえ成形品ケースから突出させたい部品（２０）の位置が成形品ケース面の端に位置したとしても成形品ケースの強度低下が確実に少なくなるものである。また、第２の押さえ部（１２）により、第１の成形品ケース（１）および第２の成形品ケース（２）が結合する際に、基板（３）が動き難いように規制されるとともに、第１の押さえ部（１１）により、第１の成形品ケース（１）および第２の成形品ケース（２）が結合する際に、同基板（３）を挟むように固定されるものであり、収納される基板（３）がより一層確実に踊ることなく、かつ、より一層確実にがたつくことがなくて、結果として、より一層確実に基板（３）を固定することができるものである。
【００３７】
すなわち、本発明は、たとえ成形品ケースから突出させたい部品（２０）の位置が成形品ケース面の端に位置したとしても、成形品ケースの強度低下が少なく、かつ、見栄えを維持しながら、第１の成形品ケース（１）と第２の成形品ケース（２）とを同一のものとすることができ、第１の成形品ケース（１）を成形する金型のみがあれば、基板収納成形品ケースを完成させることができて、金型の合理化が図れるとともに、基板収納成形品ケースを組み立てるための部品点数としても少なくなり、在庫管理や工程管理などの各種管理が容易になって、管理費を低減することができるものである。
【００３８】
本発明の請求項２に係る基板収納成形品ケースによると、請求項１記載の場合に加えて、このような逃がし部（２１）により、基板（３）が成形品ケース内ぎりぎりいっぱいのサイズのものであっても、第２の押さえ部（１２）が嵌まることで、同第２の押さえ部（１２）によっても、第１の成形品ケース（１）および第２の成形品ケース（２）が結合する際に、同基板（３）を固定することができるものとなり、そして、基板（３）の一方面にのみ部品（２０）が実装されたり、基板（３）の一方面には大きな部品（２０）が実装され、他方面には小さな部品（２０）が実装されたりして、同基板（３）の一方面と他方面とで実装スペースが偏るような場合であっても、第１の成形品ケース（１）と第２の成形品ケース（２）とによって形成される収納空間を有効に活用できて、空間利用効率に優れる基板収納成形品ケースを提供することができるものとなる。
【００３９】
本発明の請求項３に係る基板収納成形品ケースによると、請求項１又は請求項２記載の場合に加えて、このような基底部（１０）の内面に設けられた押さえ片（１４）によって、第１の成形品ケース（１）および第２の成形品ケース（２）が結合する際に、基板（３）を挟むように固定されるものであり、収納される基板（３）がより一層確実に踊ることなく、かつ、より一層確実にがたつくことがなくて、結果として、より一層確実に基板（３）を固定することができるものである。
【００４０】
本発明の請求項４に係る基板収納成形品ケースによると、請求項１ないし請求項３いずれか記載の場合に加えて、周縁立上部（５）の方向に立設形成する係止部（６）と被係止部（７）とにより、第１の成形品ケース（１）の開口に第２の成形品ケース（２）の開口を突き合せるだけで、それぞれの係止部（６）と被係止部（７）とが互いに係止し合うために、結果として、より一層確実にワンタッチで基板収納成形品ケースを組み立てることができるものとなる。
【００４１】
本発明の請求項５に係る基板収納成形品ケースによると、請求項１ないし請求項４いずれか記載の場合に加えて、第１の成形品ケース（１）と第２の成形品ケース（２）との結合をビスなどのねじ（２２）によっても行えるので、分解し難くて信頼性が確実に向上し、しかも、ねじ（２２）を強く締めても第１の当接面（１５）と第２の当接面（２４）が強く当接するのであって、基板（３）や第１の成形品ケース（１）や第２の成形品ケース（２）には変形を与えるような力の作用が確実になくて、基板収納成形品ケースの外側からビスなどのねじ（２２）を螺着してねじ込むことによって、第１の成形品ケース（１）と第２の成形品ケース（２）との結合を、例えば、前項記載の場合のような係止部（６）と被係止部（７）とによる仮結合とともに、強固なねじ（２２）による本結合も併用できる、優れる基板収納成形品ケースを提供することができるものとなる。
【００４２】
本発明の請求項６に係る基板収納成形品ケースによると、請求項５記載の場合に加えて、第１の成形品ケース（１）と第２の成形品ケース（２）との結合をビスなどのねじ（２２）によって行う際に、基板（３）を挟むように固定しながら同ねじ（２２）を強く締めても、このような第１のダボ（１３）および第２のダボ（１７）の少なくとも一方の近傍に設けた押さえ片（１４）の存在により、基板（３）や第１の成形品ケース（１）や第２の成形品ケース（２）には変形を与えるような力の作用がより一層確実に分散されるようになって、結果的にはこのような力の作用がなくなるものとなり、そして、第１の当接面（１５）と第２の当接面（２４）がより一層強く当接するのであって、第１の成形品ケース（１）と第２の成形品ケース（２）との結合後も確実に分解し難くなり、基板収納成形品ケースとしての信頼性もより一層確実に向上するものとなる。
【００４３】
本発明の請求項７に係る基板収納成形品ケースによると、請求項１ないし請求項６いずれか記載の場合に加えて、このような窓部（４）により、基板（３）の一方面側に窓部（４）から外方へ突出させたい部品（２０）が実装されることがあっても、同部品（２０）を突出させた状態で確実に実装させることができるものとなり、結果として、非常に好ましい基板収納成形品ケースを提供することができるものとなる。
【図面の簡単な説明】
【図１】本発明の一実施形態に係る基板収納成形品ケースを示した分解斜視図である。
【図２】本発明の一実施形態に係る基板収納成形品ケースを示した斜視図である。
【図３】一従来例に係り、第１の成形品ケースと第２の成形品ケースとが異なる基板収納成形品ケースを示した分解斜視図である。
【図４】図３に係る基板収納成形品ケースを示した斜視図である。
【図５】他の一従来例に係り、第１の成形品ケースと第２の成形品ケースとが同じ基板収納成形品ケースを示した分解斜視図である。
【図６】図５に係る基板収納成形品ケースを示した斜視図である。
【符号の説明】
１    第１の成形品ケース
２    第２の成形品ケース
３    基板
４    窓部
５    周縁立上部
６    係止部
７    被係止部
１０  基底部
１１  第１の押さえ部
１２  第２の押さえ部
１３  第１のダボ
１４  押さえ片
１５  第１の当接面
１６  ねじ止め貫通孔
１７  第２のダボ
１８  ねじ止め孔
２０  部品
２１  逃がし部
２２  ねじ
２４  第２の当接面
【図１】
0003791362.tif 000002
【図２】
0003791362.tif 000003
【図３】
0003791362.tif 000004
【図４】
0003791362.tif 000005
【図５】
0003791362.tif 000006
【図６】
0003791362.tif 000007